(57)【要約】【課題】回路基板にシールドカバーを取り付けた後でも回路の入力部の半田付けの有無や良不良を確認することが可能なアンテナ装置を提供する。【解決手段】アンテナ装置１、１０は、電波を受信する受信手段７を有するアンテナ素子２と、アンテナ素子２からの入力信号を増幅する増幅回路が形成された回路基板３と、受信手段７と増幅回路とを接続する入力ピン４と、回路基板３上の増幅回路を覆って妨害波を遮蔽するシールドカバー５とを備え、入力ピン４は、回路基板３を貫通して増幅回路に半田付けにより接続されて回路の入力部３ｂとされており、シールドカバー５には、外部から入力部３ｂを視認可能な位置に確認穴５ｂが設けられている。【選択図】図１
2008078720.tif 000002
【特許請求の範囲】
【請求項１】
電波を受信する受信手段を有するアンテナ素子と、
前記アンテナ素子からの入力信号を増幅する増幅回路が形成された回路基板と、
前記受信手段と前記増幅回路とを接続する入力ピンと、
前記回路基板上の前記増幅回路を覆って妨害波を遮蔽するシールドカバーと
を備え、
前記入力ピンは、前記回路基板を貫通して前記増幅回路に半田付けにより接続されて回路の入力部とされており、
前記シールドカバーには、外部から前記入力部を視認可能な位置に確認穴が設けられていることを特徴とするアンテナ装置。
【請求項２】
前記確認穴は、前記シールドカバーの前記入力部と対向する位置に設けられていることを特徴とする請求項１に記載のアンテナ装置。
【請求項３】
前記シールドカバーは、少なくとも前記確認穴を含む部分が導電部材で覆われていることを特徴とする請求項１または請求項２に記載のアンテナ装置。
【請求項４】
前記導電部材は、板状の金属部材であることを特徴とする請求項３に記載のアンテナ装置。
【請求項５】
前記導電部材は、金属テープであることを特徴とする請求項３に記載のアンテナ装置。
【請求項６】
前記確認穴は、前記シールドカバーの一部が前記シールドカバーの内側に折り曲げられて形成されており、その折り曲げられた部分が増幅回路の前記入力部と増幅回路で増幅された信号を出力する出力部との間に壁状に配置されていることを特徴とする請求項１から請求項５のいずれか一項に記載のアンテナ装置。
【発明の詳細な説明】
【技術分野】
【０００１】
本発明は、アンテナ装置に係り、特に、ＧＰＳ（Global Positioning System）や衛星ラジオ用等の電波を受信するために用いられるアンテナ装置に関する。
【背景技術】
【０００２】
例えば、測位システムとして普及している車載用のＧＰＳシステムのアンテナ装置や、米国で実用化されている車載型或いは家庭等での据え付け型の衛星ラジオ等に用いるアンテナ装置として種々のアンテナ装置が開発されている（例えば特許文献１〜３等参照）。
【０００３】
これらのアンテナ装置では、図６に例示するアンテナ装置１００のように、例えば、電波を受信するパッチ型の受信面１０１を有するアンテナ素子１０２の背面に回路基板１０３が貼付されている。回路基板１０３のアンテナ素子１０２と反対側の面にはアンテナ素子１０２から入力された信号を増幅する図示しない増幅回路が形成されており、その増幅回路が形成された面が、外部からの妨害波を遮蔽する略箱状のシールドカバー１０４で覆われている。なお、図６では受信面１０１が実際よりも厚く表されている。
【０００４】
アンテナ素子１０２と回路基板１０３とには、入力ピン１０５がアンテナ素子１０２や回路基板１０３に垂直に貫挿されており、入力ピン１０５の一端側が半田付けによりアンテナ素子１０２の受信面１０１に電気的に接続されている。また、入力ピン１０５の他端側は回路基板１０３上の増幅回路に半田付けされて電気的に接続されていて入力部１０３ａが形成されている。入力ピン１０５は、アンテナ素子１０２の受信面１０１で受信した電波信号を回路基板１０３の増幅回路に入力させるようになっている。
【０００５】
また、シールドカバー１０４の内側には、同軸ケーブル１０６が挿入されている。同軸ケーブル１０６の芯線１０６ａは回路基板１０３上の増幅回路に半田付けされて電気的に接続され、その接続部分が増幅回路の出力部１０３ｂを構成している。同軸ケーブル１０６はその芯線１０６ａを介して増幅回路に駆動電力を供給するとともに、アンテナ素子１０２で受信され増幅回路で増幅された信号を出力するようになっている。
【０００６】
また、シールドカバー１０４はＧＮＤも兼ねており、シールドカバー１０４の基面１０４ａから同軸ケーブル１０６側に屈曲されて形成された舌片１０４ｂが同軸ケーブル１０６の外部導体１０６ｂに対して半田付けされて電気的に接続されることで、舌片１０４ｂを介してシールドカバー１０４がＧＮＤ電位とされ、シールドカバー１０４を介して増幅回路が接地されるようになっている。
【特許文献１】特開２００５−１１０００７号公報
【特許文献２】特開２００４−７２３２０号公報
【特許文献３】特開２００４−２２８３５７号公報
【発明の開示】
【発明が解決しようとする課題】
【０００７】
このようなアンテナ装置１００では、天地逆転した図７に示すように、シールドカバー１０４が増幅回路を覆った状態で固定されると、シールドカバー１０４により回路基板１０３上の増幅回路、特に図６に示したような回路の入力部１０３ａでの入力ピン１０５と回路の配線との半田Ｈによる半田付けの有無や半田付けの良不良を確認することができなくなる。
【０００８】
しかし、入力ピン１０５の半田付けを確認するために一旦取り付けたシールドカバー１０４を取り外すのでは、取り外しや半田付けの確認、シールドカバー１０４の取り付け固定等の作業を行わなければならず、製造工程において無駄な工程が増えて作業が煩雑化する。さらに、このような取り外しや取り付けが繰り返されるうちにシールドカバー１０４の回路基板１０３に対する取り付け精度が悪化してしまう。
【０００９】
また、入力部１０３ａでの半田付けがなされなくても入力ピン１０５と配線とが接触していれば信号は伝達されるが、経時的な変化等で物理的な接触がなくなると信号が伝達されなくなり、アンテナとして機能しなくなる。そのため、ユーザが故障したアンテナの入力部の半田付けを確認しようとしてもシールドカバー１０４を取り外さない限り確認することができない。
【００１０】
本発明は、このような事情に鑑みてなされたものであり、回路基板にシールドカバーを取り付けた後でも回路の入力部の半田付けの有無や良不良を確認することが可能なアンテナ装置を提供することを目的とする。
【課題を解決するための手段】
【００１１】
前記の問題を解決するために、請求項１に記載のアンテナ装置は、
電波を受信する受信手段を有するアンテナ素子と、
前記アンテナ素子からの入力信号を増幅する増幅回路が形成された回路基板と、
前記受信手段と前記増幅回路とを接続する入力ピンと、
前記回路基板上の前記増幅回路を覆って妨害波を遮蔽するシールドカバーと
を備え、
前記入力ピンは、前記回路基板を貫通して前記増幅回路に半田付けにより接続されて回路の入力部とされており、
前記シールドカバーには、外部から前記入力部を視認可能な位置に確認穴が設けられていることを特徴とする。
【００１２】
請求項２に記載の発明は、請求項１に記載のアンテナ装置において、前記確認穴は、前記シールドカバーの前記入力部と対向する位置に設けられていることを特徴とする。
【００１３】
請求項３に記載の発明は、請求項１または請求項２に記載のアンテナ装置において、前記シールドカバーは、少なくとも前記確認穴を含む部分が導電部材で覆われていることを特徴とする。
【００１４】
請求項４に記載の発明は、請求項３に記載のアンテナ装置において、前記導電部材は、板状の金属部材であることを特徴とする。
【００１５】
請求項５に記載の発明は、請求項３に記載のアンテナ装置において、前記導電部材は、金属テープであることを特徴とする。
【００１６】
請求項６に記載の発明は、請求項１から請求項５のいずれか一項に記載のアンテナ装置において、前記確認穴は、前記シールドカバーの一部が前記シールドカバーの内側に折り曲げられて形成されており、その折り曲げられた部分が増幅回路の前記入力部と増幅回路で増幅された信号を出力する出力部との間に壁状に配置されていることを特徴とする。
【発明の効果】
【００１７】
請求項１に記載の発明によれば、回路基板の回路が形成された面を覆うシールドカバーに確認穴を設けたことで、回路基板にシールドカバーを取り付けた後でも確認穴を介して回路の入力部の半田の有無や半田付けの良不良を目視により容易かつ確実に確認することが可能となる。
【００１８】
また、アンテナ装置をこのように構成すれば、アンテナ装置の製造時においては、製造作業者はシールドカバーを取り外すことなくシールドカバーに形成された確認穴を介して回路基板上の入力部の入力ピンと回路の配線との半田付け部分を目視して、入力部における半田の有無や半田付けの良不良を容易かつ確実に確認することができる。そのため、シールドカバーを取り外しての半田付けの確認作業やシールドカバーの再度の取り付けの作業等を行う必要がなく、製造工程が簡略化されるとともに、取り外しや再度の取り付けによるシールドカバーの取り付け精度の悪化を防止することが可能となる。
【００１９】
さらに、アンテナ装置が稼動時に故障したような場合には、ユーザが同様にしてシールドカバーを取り外すことなく確認穴を介した目視により入力部における半田の有無や半田付けの良不良を確認することが可能となる。そのため、入力部の半田付けが適切に行われているにもかかわらずユーザが入力部における半田付けの不良と判断して、シールドカバーを回路基板から取り外してしまうことを防止することができる。
【００２０】
請求項２に記載の発明によれば、確認穴をシールドカバーの入力部と対向する位置に設ければ、より容易かつ確実に確認穴を介して入力部の半田の有無や半田付けの良不良を目視により確認することが可能となり、前記請求項１に記載の発明の効果がより的確に発揮される。
【００２１】
請求項３に記載の発明によれば、前記各発明の効果に加え、例えばシールドカバーに確認穴を設けたことでシールドカバーの妨害波の遮蔽効率が低下する場合には、シールドカバーの確認穴を含む部分を金属板や金属テープ等の導電部材で覆って塞ぐようにすれば遮蔽効率の低下を防止し、遮蔽効率を維持することが可能となる。
【００２２】
請求項４に記載の発明によれば、板状の金属部材でシールドカバーの確認穴を覆って塞ぐことでシールドカバーの妨害波の遮蔽効率の低下を防止し遮蔽効率を維持でき、前記請求項３に記載の発明の効果を発揮することが可能となると同時に、金属部材をシールドカバーに当接させてシールドカバーを介した増幅回路やアンテナ素子の接地効率をも向上させることが可能となる。
【００２３】
請求項５に記載の発明によれば、シールドカバーや、シールドカバーの確認穴を覆う樹脂製等のカバーに金属テープを貼付するだけで容易に前記請求項３に記載の発明の効果を発揮させることが可能となる。
【００２４】
請求項６に記載の発明によれば、装置の小型化等により信号入出力のアイソレーションの劣化が生じる場合があるが、そのような場合に、増幅回路の入力部３ｂと出力部３ｃとの間に壁を設けるようにすることで、回路の出力部３ｃから入力部３ｂへの正帰還が阻止または阻害されて回路内での定在波の発生が阻止または低減され、信号漏洩による異常発振が生じることが防止されまたは実用上問題がない程度まで抑制される。そのため、前記各請求項に記載の発明の効果に加え、信号入出力のアイソレーションが劣化することを有効に防止することができ、信号漏洩による異常発振の発生を事実上防止することが可能となる。
【発明を実施するための最良の形態】
【００２５】
以下、本発明に係るアンテナ装置の実施の形態について、図面を参照して説明する。
【００２６】
［第１の実施の形態］
第１の実施形態に係るアンテナ装置１は、図１に示すように、アンテナ素子２、回路基板３、入力ピン４、シールドカバー５および同軸ケーブル６等を備えている。
【００２７】
アンテナ素子２は、本実施形態ではセラミック製でやや肉厚の板状に形成されている。アンテナ素子２の一方側の面には、電波を受信する受信手段としてパッチ型の受信面７が貼付されている。なお、図１および後述する図３では、受信面７が実際よりも厚く表されている。また、アンテナ素子２の受信面７と反対側の面には、図示しない金属薄膜状のＧＮＤパターンが入力ピン４およびその周囲の部分を除くほぼ全面に貼付されている。
【００２８】
アンテナ素子２の受信面７と反対の面には、回路基板３が設けられている。回路基板３のアンテナ素子２側の面には、アンテナ素子２のＧＮＤパターンとは別体の図示しない金属薄膜状のＧＮＤパターンが入力ピン４およびその周囲の部分を除くほぼ全面に貼付されている。
【００２９】
本実施形態では、この回路基板３のＧＮＤパターンとアンテナ素子２のＧＮＤパターンとが例えば両面テープ等の接着部材で貼付されることでアンテナ素子２と回路基板３とが接着されるようになっている。また、アンテナ素子２自体のＧＮＤパターンとともに、回路基板３のＧＮＤパターンもアンテナ素子２のＧＮＤパターンとして機能するようになっている。
【００３０】
回路基板３のアンテナ素子２と反対側の面すなわち回路面３ａには、アンテナ素子２からの入力を増幅して出力する図示しない回路が形成されている。回路基板３には、適宜の位置に図示しない複数のスルーホールが形成されており、これらのスルーホールを介して回路面３ａ上の回路のＧＮＤと裏面のＧＮＤパターンとが接続されるようになっている。
【００３１】
アンテナ素子２と回路基板３の所定の位置には、入力ピン４がアンテナ素子２の受信面７や回路基板３の回路面３ａに垂直に貫挿されている。本実施形態では、入力ピン４の一端側が半田付けによりアンテナ素子２の受信面７に電気的に接続されている。
【００３２】
また、入力ピン４の他端側は回路基板３上の増幅回路に半田Ｈにより半田付けされて電気的に接続されており、その接続部分が回路の入力部３ｂとされている。入力ピン４は、アンテナ素子２の受信面７で受信した電波信号をこの入力部３ｂを介して回路基板３の増幅回路に入力させるようになっている。
【００３３】
回路基板３の回路面３ａ側には、略箱状に形成された金属製のシールドカバー５が回路面３ａを覆うように取り付けられており、シールドカバー５は、回路面３ａに到達する外部からの妨害波を遮蔽するようになっている。また、略箱状のシールドカバー５の基面５ａはアンテナ素子２の受信面７や回路基板３の回路面３ａに平行に配置されるようになっている。
【００３４】
図１の断面図に示されているように、シールドカバー５は、その一部が突起状に形成されて回路基板３に貫通されることで、回路基板３に対して位置決めされるようになっている。また、図２に示すように、本実施形態では、シールドカバー５は回路基板３の回路面３ａ上で半田付けにより回路のＧＮＤと電気的に接続されるようになっている。なお、図２および後述する図４では、アンテナ装置１が天地逆転された状態で示されている。
【００３５】
シールドカバー５の基面５ａのうち外部から回路基板３上の入力部３ｂを視認可能な位置には、確認穴５ｂが形成されている。本実施形態では、確認穴５ｂは、シールドカバー５の入力部３ｂと対向する位置に円形に設けられている。なお、確認穴５ｂは入力部３ｂを視認可能であればよく、その形状は円形に限定されず三角形状や矩形状等に形成することが可能である。
【００３６】
シールドカバー５の内側には、図１に示すように、同軸ケーブル６が挿入されている。同軸ケーブル６の芯線６ａは回路基板３上の増幅回路に半田付けされて電気的に接続されており、その接続部分が回路の出力部３ｃとされている。同軸ケーブル６は、芯線６ａを介して増幅回路に駆動電力を供給するとともに、アンテナ素子２で受信され増幅回路で増幅されてこの出力部３ｃを介して出力された信号を下流側に出力するようになっている。
【００３７】
また、シールドカバー５には、舌片５ｃがシールドカバー５の基面５ａから屈曲され同軸ケーブル６に向かって延びるように形成されており、舌片５ｃと同軸ケーブルの外部導体６とが半田付けにより電気的に接続されている。
【００３８】
同軸ケーブルの外部導体６ｂにはＧＮＤ電位が供給されるようになっており、外部導体６ｂとシールドカバー５の舌片５ｃとの接続により同軸ケーブル６の外部導体６ｂから舌片５ｃおよびシールドカバー５を介して回路基板３の増幅回路にＧＮＤ電位が供給されるようになっている。
【００３９】
次に、本実施形態に係るアンテナ装置１の作用について説明する。
【００４０】
アンテナ装置１の回路基板３上の増幅回路には、同軸ケーブル６の芯線６ａから出力部３ｃを介して駆動電力が供給される。また、アンテナ素子２の受信面７がＧＰＳ用や衛星ラジオ用の高周波の電波を受信すると、入力部３ｂを介してその電波信号が増幅回路に送信され、増幅回路で増幅された電波信号が出力部３ｃから同軸ケーブル６の芯線６ａを通じて出力される。
【００４１】
回路基板３の増幅回路は、それを覆う金属製のシールドカバー５により外部からの妨害波から遮蔽される。また、増幅回路は、前述したようにそのＧＮＤがシールドカバー５に接続され、同軸ケーブル６の外部導体６ｂからシールドカバー５にＧＮＤ電位が供給されることにより接地される。このＧＮＤ電位は回路基板３のスルーホールを介して回路基板３のＧＮＤパターンにも供給され、回路基板３のＧＮＤパターンが接地されてアンテナ素子２にＧＮＤレベルが提供される。
【００４２】
一方、アンテナ装置１は、シールドカバー５に形成された確認穴５ｂを介して回路基板３上の入力部３ｂの入力ピン４と回路の配線との半田付け部分が視認される。そのため、入力部３ｂにおける半田付け用の半田Ｈがあるか、すなわち半田付けがなされているか、或いは半田付けが確実に行われているかを目視により確認することができる。
【００４３】
以上のように、本実施形態に係るアンテナ装置１によれば、回路基板３の回路が形成された面を覆うシールドカバー５に確認穴５ｂを設けたことで、回路基板３にシールドカバー５を取り付けた後でも確認穴５ｂを介して回路の入力部３ｂの半田Ｈの有無や半田付けの良不良を目視により容易かつ確実に確認することが可能となる。
【００４４】
アンテナ装置１をこのように構成すれば、アンテナ装置１の製造時においては、製造作業者は、シールドカバー５を取り外すことなくシールドカバー５の基面５ａに形成された確認穴５ｂを介して回路基板３上の入力部３ｂの入力ピン４と回路の配線との半田付け部分を目視して、入力部３ｂにおける半田Ｈの有無や半田付けの良不良を容易かつ確実に確認することができる。
【００４５】
そのため、シールドカバー５を取り外しての半田付けの確認作業やシールドカバー５の再度の取り付けの作業等を行う必要がなく、製造工程が簡略化されるとともに、取り外しや再度の取り付けによるシールドカバー５の取り付け精度の悪化を防止することが可能となる。
【００４６】
また、アンテナ装置１が稼動時に故障したような場合には、ユーザが同様にしてシールドカバー５を取り外すことなく確認穴５ｂを介した目視により入力部３ｂにおける半田Ｈの有無や半田付けの良不良を確認することが可能となる。そのため、入力部３ｂの半田付けが適切に行われているにもかかわらずユーザが入力部３ｂにおける半田付けの不良と判断して、シールドカバー５を回路基板３から取り外してしまうことを防止することができる。
【００４７】
さらに、本実施形態のように、確認穴５ｂをシールドカバー５の入力部３ｂと対向する位置に設ければ、より容易かつ確実に確認穴５ｂを介して入力部３ｂの半田Ｈの有無や半田付けの良不良を目視により確認することが可能となる。
【００４８】
なお、シールドカバー５に確認穴５ｂを設けるとシールドカバー５の妨害波の遮蔽効率が低下する場合には、例えばシールドカバー５の確認穴５ｂをシールドカバー５に着脱可能な銅テープのような金属テープ等の導電部材で覆うようにして塞ぐように構成することも可能である。
【００４９】
このように構成すれば、確認穴５ｂを設けたことによるシールドカバー５の妨害波の遮蔽効率の低下を防止し、遮蔽効率を維持することが可能となる。
【００５０】
また、本実施形態のようなアンテナ装置では、装置の小型化を図ると回路基板１上の増幅回路の入力部３ｂと出力部３ｃとがより近接し、信号入出力のアイソレーションが劣化して入力部３ｂと出力部３ｃとの間で信号漏洩が生じる場合がある。信号漏洩は、入力部３ｂと出力部３ｃとの間の空気中や回路基板中で生じ、信号漏洩により出力部３ｃから出力されるべき信号の一部が入力部３ｂに漏洩して回路に正帰還が生じ、最悪の場合、増幅回路内に定在波が発生して特定波長の信号強度が強くなる異常発振現象が発生する。
【００５１】
そこで、本実施形態のようにシールドカバー５に確認穴５ｂを形成する際に、図３や図４に示すように、例えばシールドカバー５の基面５ａの入力部３ｂと対向する部分をコ字状に切断してその部分をシールドカバー５の内側に折り曲げ、その折り曲げた部分８が増幅回路の入力部３ｂと出力部３ｃとの間に壁状に配置されるように構成することができる。
【００５２】
このように構成すれば、壁状部分８が出力部３ｃから漏洩した信号のうちシールドカバー５内部の空気中を伝わって漏洩する信号を遮断して吸収し、壁状部分８からシールドカバー５を介して同軸ケーブル６の外部導体６ｂに流すため、少なくとも空気中を漏洩する信号については入力部３ｂには還流せず或いは入力部３ｂへの還流が阻害される。
【００５３】
そのため、回路の入力部３ｂへの正帰還が阻止または阻害されて回路内での定在波の発生が阻止または低減され、信号漏洩による異常発振が生じることが防止されまたは実用上問題がない程度まで抑制される。このようにして、信号入出力のアイソレーションが劣化することを防止することができ、信号漏洩による異常発振の発生を事実上防止することが可能となる。
【００５４】
［第２の実施の形態］
第２の実施形態では、図５の分解図に示すように、第１の実施形態に係るアンテナ装置１がボトムカバー１２やトップカバー１３等で構成されるアンテナケース１１に内蔵されて構成されるアンテナ装置１０について説明する。
【００５５】
以下、内蔵される第１の実施形態に係るアンテナ装置１をアンテナユニット１という。また、アンテナユニット１の構成については第１の実施形態に記載したとおりであり、説明を省略する。
【００５６】
本実施形態では、アンテナケース１１のボトムカバー１２は略平板状の鉄等の金属部材で形成されており、本発明における導電部材を構成している。ボトムカバー１２には、シールドカバー５側がボトムカバー１２に対向するようにアンテナユニット１が載置されている。
【００５７】
ボトムカバー１２のアンテナユニット１が載置される側の面１２ａには、例えばエチレンプロピレンゴム等の樹脂材料で形成されたパッキン部材１４がアンテナユニット１を取り囲むように取り付けられている。また、ボトムカバー１２には、それとトップカバー１３との螺着用のネジ１５を挿通させるための貫通穴１６が設けられている。なお、ネジ１５を用いずに例えば嵌め込み等によりボトムカバー１２とトップカバー１３とを接合するように構成することも可能である。
【００５８】
アンテナケース１１のトップカバー１３はプラスチック等で形成されている。以下、図示を省略するが、トップカバー１３の外壁１７の内側には、アンテナユニット１を収容してその先端がボトムカバー１２のパッキン部材１４に当接される収容壁や前記ネジ１５に対応する雌ネジ部等が外壁１７と一体成形されている。また、外壁１７には、アンテナユニット１の同軸ケーブル６を通すための切欠部が形成されており、外壁１７の端部にはボトムカバー１２を嵌め込むための凹部が形成されている。
【００５９】
なお、ボトムカバー１２はシールドカバー５の基面５ａと面接触して基面５ａの確認穴５ｂを含む部分を外側から覆うようになっている。また、本実施形態では、金属製のボトムカバー８がシールドカバー５と面接触することで、シールドカバー５を介して増幅回路およびアンテナ素子２の接地効率のさらなる向上が図られるようになっている。
【００６０】
次に、本実施形態に係るアンテナ装置１０の作用について説明する。
【００６１】
アンテナ装置１０に内蔵されるアンテナユニット１は、前記第１の実施形態に記載のとおり機能する。また、アンテナ装置１０のアンテナケース１を分解すれば、アンテナユニット１のシールドカバー５に形成された確認穴５ｂを介して回路基板３上の入力部３ｂの入力ピン４と回路の配線との半田付け部分を視認でき、入力部３ｂにおける半田付け用の半田Ｈがあるか、すなわち半田付けがなされているか、或いは半田付けが確実に行われているかを目視により確認することができる。
【００６２】
また、本実施形態では、アンテナユニット１の底部に設けられたアンテナケース１１の金属製のボトムカバー１２とが面接触することで、シールドカバー５の接地効率が向上され、アンテナユニット１の増幅回路およびアンテナ素子２の接地効率がより向上される。
【００６３】
さらに、アンテナユニット１の増幅回路は、金属製のシールドカバー５により外部からの妨害波から遮蔽され、シールドカバー５に形成された確認穴５ｂの部分は前述したように金属製のボトムカバー１２により外側から覆われており、確認穴５ｂが形成されていてもシールドカバー５の妨害波の遮蔽効率を維持され、或いは向上される。
【００６４】
以上のように、本実施形態に係るアンテナ装置１０によれば、アンテナユニット１をアンテナケース１１内に内蔵させても、例えばアンテナケース１１のネジ１５を外してアンテナユニット１を容易に取り出すことができ、そのシールドカバー５の確認穴５ｂを介して容易に回路の入力部３ｂを視認できるから、前記第１の実施形態に係るアンテナ装置１とまったく同様の効果を奏するものとすることができる。
【００６５】
また、前述したように、アンテナユニット１によっては、そのシールドカバー５に確認穴５ｂを設けるとシールドカバー５の妨害波の遮蔽効率が低下する場合がある。しかし、本実施形態のようにアンテナユニット１をアンテナケース１１で包囲し、金属製のボトムカバー１２のような導電部材でシールドカバー５の少なくとも確認穴５ｂを含む部分を覆うことで、確認穴５ｂの部分すなわちシールドカバー５の欠損部分を導電部材で塞ぐことができる。
【００６６】
そのため、シールドカバー５に確認穴５ｂが形成されていても、シールドカバー５の妨害波の遮蔽効率を維持することができる。
【００６７】
また、本実施形態のボトムカバー１２のように、導電部材を板状の金属部材で形成することで、導電部材の形成が容易になるとともに、例えばアンテナユニット１のシールドカバー５の基面５ａ全面を導電部材で覆うように構成することで、シールドカバー５の妨害波の遮蔽効率を維持するだけでなく、さらに向上させることが可能となる。
【００６８】
なお、導電部材を本実施形態のボトムカバー１２のように板状の金属部材で形成する代わりに、例えば第１の実施形態の変形例のようにシールドカバー５の確認穴５ｂをシールドカバー５に着脱可能な銅テープのような金属テープで塞いだり、或いはボトムカバー１２を樹脂等で構成する場合にはボトムカバー１２の確認穴５ｂに対応する部分に金属テープを貼付するなどしても同様にシールドカバー５の妨害波の遮蔽効率を維持することができる。
【００６９】
また、第１の実施形態と同様に、シールドカバー５の一部を内側に折り曲げて増幅回路の入力部３ｂと出力部３ｃとの間に壁状に配置されるように構成すれば、第１の実施形態に記載した効果と同様の効果を奏するように構成することができる。
【００７０】
なお、前記第１および第２の実施形態では、アンテナ素子２の表面にＧＰＳ用や衛星ラジオ用の高周波の電波を受信するパッチ型の受信面７を備えたアンテナ装置１について述べたが、アンテナ素子の構成はパッチ型の受信面を備えた構成に限定されない。
【図面の簡単な説明】
【００７１】
【図１】第１の実施形態に係るアンテナ装置の構成を示す概略断面図である。
【図２】図１のアンテナ装置を天地逆転した状態のシールドカバーや同軸ケーブル等を表す斜視図である。
【図３】シールドカバーを折り曲げて形成された壁状部分を説明する概略断面図である。
【図４】天地逆転した図３のアンテナ装置を示す斜視図である。
【図５】第２の実施形態に係るアンテナ装置の構成を示す分解斜視図である。
【図６】従来のアンテナ装置の構成を示す概略断面図である。
【図７】天地逆転した図６のアンテナ装置を示す斜視図である。
【符号の説明】
【００７２】
１、１０  アンテナ装置
２    アンテナ素子
３    回路基板
３ｂ  入力部
３ｃ  出力部
４    入力ピン
５    シールドカバー
５ｂ  確認穴
７    受信面（受信手段）
８    折り曲げ部分
１２  ボトムカバー（導電部材）
【図１】
2008078720.tif 000003
【図２】
2008078720.tif 000004
【図３】
2008078720.tif 000005
【図４】
2008078720.tif 000006
【図５】
2008078720.tif 000007
【図６】
2008078720.tif 000008
【図７】
2008078720.tif 000009